【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
吸収性製品であって、
支持構造体と、
互いに一体化され、且つ前記支持構造体上に支持された吸収性ポリマー及びセラゲニン化合物であって、前記セラゲニン化合物は、ステロール基とそれに付加した複数のカチオン性基とを含むものである、前記吸収性ポリマー及びセラゲニン化合物と
を有する、吸収性製品。
【請求項２】
請求項１に記載の吸収性製品において、前記セラゲニン化合物は、非共有結合で前記吸収性ポリマーに付加されるものであり、これにより前記セラゲニン化合物は前記吸収性ポリマーと一体化されるが、微生物の存在下で前記ポリマーから放出されるものである、吸収性製品。
【請求項３】
請求項１に記載の吸収性製品において、前記セラゲニン化合物及び吸収性ポリマーは、乾式混合された混合物である、吸収性製品。
【請求項４】
請求項１に記載の吸収性製品において、ＣＳＡが前記吸収性材料と一体化されるものであり、これにより、水性環境に暴露される場合、当該ＣＳＡは抗菌効果を提供するのに十分な量で前記吸収性材料から溶出するものである、吸収性製品。
【請求項５】
請求項１に記載の吸収性製品において、前記支持構造体は、不織布などの少なくとも１つのシートの材料を含むものであり、前記セラゲニン化合物は当該不織布の表面内または表面上に存在するものである、吸収性製品。
【請求項６】
請求項１に記載の吸収性製品において、前記吸収性材料は、セルロース繊維を有するものである、吸収性製品。
【請求項７】
請求項１に記載の吸収性製品において、前記セラゲニン化合物は、前記ステロール基と前記カチオン性基の少なくとも一部との間に加水分解可能な結合を含むものであり、これにより前記セラゲニン化合物は、水中で加水分解によって分解され得るものであり、例えばＣＳＡ−３２、ＣＳＡ−３３、ＣＳＡ−３４、ＣＳＡ−３５、ＣＳＡ−４１、ＣＳＡ−４２、ＣＳＡ−４３、ＣＳＡ−４４、ＣＳＡ−４５、ＣＳＡ−４７、ＣＳＡ−４９、ＣＳＡ−５０、ＣＳＡ−５１、ＣＳＡ−５２、ＣＳＡ−５６、ＣＳＡ−１４１、ＣＳＡ−１４２、およびこれらの組み合わせから成る群から選択される水で加水分解可能なセラゲニンである、吸収性製品。
【請求項８】
請求項１に記載の吸収性製品であって、さらに、前記吸収性材料と共有結合または非共有結合で一体化される酸性材料を有する、吸収性製品。
【請求項９】
請求項１に記載の吸収性製品において、前記吸収性材料は、カルボン酸基（Ｒ−ＣＯＯＨ）とカルボン酸塩（Ｒ−ＣＯＯ−Ｍ＋）とを有するポリアクリレート系超吸収性ポリマーを有し、カルボン酸基対カルボン酸塩のモル比は１:１より大きいものである、吸収性製品。
【請求項１０】
請求項１に記載の吸収性製品において、前記支持構造体と一体化したセラゲニン化合物の量は、前記製品の製品−接触体表面又はその近傍で少なくとも当該セラゲニン化合物の最小発育阻止濃度（ＭＩＣ）を提供するのに十分なものであり、例えば黄色ブドウ球菌ＭＲＳＡ型またはＶＲＳＡ型の増殖を阻害するのに十分なＭＩＣである、吸収性製品。
【請求項１１】
請求項１に記載の吸収性製品において、前記ＣＳＡは前記吸収性製品の表面上に共有結合で結合されるものである、吸収性製品。
【請求項１２】
請求項１に記載の吸収性製品において、前記吸収性製品は、使い捨て幼児用おむつ、婦人用衛生製品、生理用ナプキン、パンティライナー、タンポン、成人失禁用製品、個人用拭き取り繊維、家庭用拭き取り繊維、おむつ、及び包帯からなる群から選択されるものである、吸収性製品。
【請求項１３】
請求項１２に記載の吸収性製品において、前記製品はおむつであり、前記支持構造体は外側シェル、吸収性パッド、および内部層を含み、前記吸収性パッドは吸収性ポリマーを含み、前記内部層は前記吸収性パッドに向けて水分を逃がす材料を含み、前記セラゲニン化合物は、前記吸収性パッドに対向する前記内部層の上面、および／または吸収性パッドの内部または上部に配置されるものである、吸収性製品。
【請求項１４】
請求項１に記載の吸収性製品において、前記製品は包帯であり、前記支持構造体は、柔軟なストリップと、当該柔軟なストリップ上に配置された吸収性ポリマーとを有し、前記柔軟なストリップは、さらに、前記包帯を皮膚に付着させる接着剤を有するものである、吸収性製品。
【請求項１５】
食材及び請求項１に記載の吸収剤を有するパッケージ食品。
【請求項１６】
請求項１５に記載のパッケージ食品において、前記食材は果物、野菜、乳製品、豚肉、魚、鶏肉、または牛肉製品、またはそれらの組み合わせである、パッケージ食品。
【手続補正２】
【補正対象書類名】明細書
【補正対象項目名】０００５
【補正方法】変更
【補正の内容】
【０００５】
超吸水性ポリマーの最大の用途は、幼児用おむつ、成人用保護下着、及び生理用ナプキンなどの個人用使い捨て衛生製品にある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第４，９７２，８４８号明細書
（特許文献２）  米国特許第８，６２３，４１６号明細書
（特許文献３）  米国特許第６，３５０，７３８号明細書
（特許文献４）  米国特許第６，９３９，３７６号明細書
（特許文献５）  米国特許第７，２８２，２１４号明細書
（特許文献６）  米国特許第７，７５４，７０５号明細書
（特許文献７）  米国特許第６，４８６，１４８号明細書
（特許文献８）  米国特許第６，７６７，９０４号明細書
（特許文献１０）  米国特許第７，５９８，２３４号明細書
（特許文献１１）  米国特許第８，２１１，８７９号明細書
（特許文献１２）  米国特許第８，５２９，６８１号明細書
（特許文献１３）  米国特許第６，２２８，３９３号明細書
（特許文献１４）  米国特許出願公開第２００８／０１８８８１９号明細書
（特許文献１５）  米国特許出願公開第２００５／００７５３２１号明細書
（特許文献１６）  米国特許出願公開第２００７／０１９００６７号明細書
（特許文献１７）  米国特許出願公開第２０１１／０１２３６２４号明細書
（特許文献１８）  米国特許出願公開第２００５／０２４４４６８号明細書
（特許文献１９）  米国特許出願公開第２００６／０２６９４８５号明細書
（特許文献２０）  米国特許出願公開第２００７／０１０６３９３号明細書
（特許文献２１）  米国特許出願公開第２００５／００３２７６５号明細書
（特許文献２２）  米国特許出願公開第２００７／０１９０５５８号明細書
（特許文献２３）  米国特許出願公開第２００７／０１９００６６号明細書
（特許文献２４）  米国特許出願公開第２０１０／０３３００８６号明細書
（特許文献２５）  米国特許出願公開第２０１２／００８８７３３号明細書
（特許文献２６）  米国特許出願公開第２００４／０００９２２７号明細書
（特許文献２７）  米国特許出願公開第２００８／０１７４０３５号明細書
（特許文献２８）  国際公開第２０１２／０６１６５１号
（特許文献２９）  国際公開第２００７／０８９９０７号
（特許文献３０）  国際公開第２０１０／０３６４２７号
（特許文献３１）  国際公開第２０１３／１０９２３６号
（特許文献３２）  国際公開第２００９／０７９０６６号
（特許文献３３）  国際公開第１９９９／０４４６１６号
（特許文献３４）  国際公開第２０００／０４２０５８号
（特許文献３５）  国際公開第２００２／０１４３４２号
（特許文献３６）  国際公開第２００７／０８９９０６号
（特許文献３７）  国際公開第２００７／０８９９０３号
（特許文献３８）  国際公開第２０１１／１０９７０４号
（特許文献３９）  国際公開第２００３／０１５７５７号
（特許文献４０）  国際公開第１９９５／０２４４１５号
（非特許文献）
（非特許文献１）  Ｐ．  Ｂ．  ＳＡＶＡＧＥ，  ｅｔ  ａｌ．，  "Ｔｈｉｎ  Ｆｉｌｍｓ  Ｃｏｎｔａｉｎｉｎｇ  Ｃｅｒａｇｅｎｉｎｓ  Ｐｒｅｖｅｎｔ  Ｂｉｏｆｉｌｍ  Ｆｏｒｍａｔｉｏｎ  ｏｎ  Ｅｎｄｏｔｒａｃｈｅａｌ  Ｔｕｂｅｓ"，  ９ｔｈ  Ｉｎｔｅｒｎａｔｉｏｎａｌ  Ｆｅｄｅｒａｔｉｏｎ  ｏｆ  Ｉｎｆｅｃｔｉｏｎ  Ｃｏｎｔｒｏｌ  Ｃｏｎｇｒｅｓｓ，  １４  Ｏｃｔｏｂｅｒ  ２００８，  ｐａｇｅｓ  １−１．
（非特許文献２）  Ｘｉｎ−Ｚｈｏｎｇ  Ｌａｉ，  ｅｔ  ａｌ．，  "Ｃｅｒａｇｅｎｉｎｓ：  Ｃｈｏｌｉｃ  Ａｃｉｄ−Ｂａｓｅｄ  Ｍｉｍｉｃｓ  ｏｆ  Ａｎｔｉｍｉｃｒｏｂｉａｌ  ｐｅｐｔｉｄｅｓ"，  Ａｃｃｏｕｎｔ  ｏｆ  Ｃｈｅｍｉｃａｌ  Ｒｅｓｅａｒｃｈ  Ｖｏｌ．  ４１，  Ｎｏ．  １０，  Ｏｃｔｏｂｅｒ  ２１，  ２００８，  Ｐａｇｅｓ  １２３３−１２４０．
（非特許文献３）  Ｋ．Ｄ．  Ｓｉｎｃｌａｉｒ，  ｅｔ  ａｌ．，"Ｄｅｖｅｌｏｐｍｅｎｔ  ｏｆ  ａ  ｂｒｏａｄ  ｓｐｅｃｔｒｕｍ  ｐｏｌｙｍｅｒ−ｒｅｌｅａｓｅｄ  ａｎｔｉｍｉｃｒｏｂｉａｌ  ｃｏａｔｉｎｇ  ｆｏｒ  ｔｈｅ  ｐｒｅｖｅｎｔｉｏｎ  ｏｆ  ｒｅｓｉｓｔａｎｔ  ｓｔｒａｉｎ  ｂａｃｔｅｒｉａｌ  ｉｎｆｅｃｔｉｏｎｓ"，  Ｊｏｕｒｎａｌ  ｏｆ  Ｂｉｏｍｅｄｉｃａｌ  Ｍａｔｅｒｉａｌｓ  Ｒｅｓｅａｒｃｈ  Ｐａｒｔ  Ａ，  Ｖｏｌ．  １００Ａ，  Ｎｏ．  １０，  Ｍａｙ  ２４，  ２０１２，  Ｐａｇｅｓ  ２７３２−２７３８．
（非特許文献４）  Ｅｍｉｌｙ  Ｌ．  Ｐｅｒｒｙ  ｅｔ  ａｌ．，"Ａｓｓｅｓｓｉｎｇ  ｐｅｒｉ−ｉｍｐｌａｎｔ  ｔｉｓｓｕｅ  ｉｎｆｅｃｔｉｏｎ  ｐｒｅｖｅｎｔｉｏｎ  ｉｎ  ａ  ｐｅｒｃｕｔａｎｅｏｕｓ  ｍｏｄｅｌ"，  Ｊｏｕｒｎａｌ  ｏｆ  Ｂｉｏｍｅｄｉｃａｌ  Ｍａｔｅｒｉａｌｓ  Ｒｅｓｅａｒｃｈ  Ｐａｒｔ  Ｂ：  Ａｐｐｌｉｅｄ  Ｂｉｏｍａｔｅｒｉａｌｓ，  Ｖｏｌ．  ０２Ｂ，  １９  Ｎｏｖｅｍｂｅｒ  ２００９，  Ｐａｇｅｓ  ３９７−４０８．
（非特許文献５）  Ｓａｖａｇｅ，  ｅｔ  ａｌ．，"Ａｎｔｉｂａｃｔｅｒｉａｌ  Ａｃｔｉｖｉｔｉｅｓ  ｏｆ  Ｔｈｉｎ  Ｆｉｌｍｓ  Ｃｏｎｔａｉｎｉｎｇ  Ｃｅｒａｇｅｎｉｎｓ"，  Ｍｉｃｒｏｂｉａｌ  Ｓｕｒｆａｃｅｓ：  Ｓｔｒｕｃｔｕｒｅ，  Ｉｎｔｅｒａｃｔｉｏｎｓ  ａｎｄ  Ｒｅａｃｔｉｖｉｔｙ，  ＡＣＳ，  ３０  Ｍａｙ  ２００８，  ｐａｇｅｓ  ６５−７８．
（非特許文献６）  Ｐ．  Ｂ．  Ｓａｖａｇｅ，  ｅｔ  ａｌ．，"Ｕｓｅ  ｏｆ  ａ  Ｃｅｒａｇｅｎｉｎ−Ｂａｓｅｄ  Ｃｏａｔｉｎｇ  ｔｏ  Ｐｒｅｖｅｎｔ  Ｂａｃｔｅｒｉａｌ  Ｃｏｌｏｎｉｚａｔｉｏｎ  ｏｆ  Ｕｒｉｎａｒｙ  Ｃａｔｈｅｔｅｒｓ"，  ４８ｔｈ  Ａｎｎｕａｌ  Ｉｎｔｅｒｓｃｉｅｎｃｅ  Ｃｏｎｆｅｒｅｎｃｅ  ｏｎ  Ａｎｔｉ−Ｍｉｃｒｏｂｉａｌ  Ａｇｅｎｔｓ  &  Ｃｈｅｍｏｔｈｅｒａｐｙ，  ２６  Ｏｃｔｏｂｅｒ  ２００８，  Ｐａｇｅｓ  １−１．
（非特許文献７）  Ｍｉｃｈａｅｌ  Ｄ．  Ｈｏｗｅｌｌ，  ｅｔ  ａｌ．，"Ｃｅｒａｇｅｎｉｎｓ：  Ａ  １−１８，  ｃｌａｓｓ  ｏｆ  Ａｎｔｉｖｉｒａｌ  Ｃｏｍｐｏｕｎｄｓ  ｔｏ  Ｔｒｅａｔ  Ｏｒｔｈｏｐｏｘ  Ｉｎｆｅｃｔｉｏｎｓ"，  Ｊｏｕｒｎａｌ  ｏｆ  Ｉｎｖｅｓｔｉｇａｔｉｖｅ  Ｄｅｒｍａｔｏｌｏｇｙ，  ｖｏｌ．  １２９，  ｎｏ．  １１，  １１  Ｊｕｎｅ  ２００９，  ｐａｇｅｓ  ２６８８−２６７５．
（非特許文献８）  Ｋ．  ＬＥＳＺＣＺＹＮＳＫＡ  ｅｔ  ａｌ．，  "Ｐｏｔｅｎｔｉａｌ  ｏｆ  ｃｅｒａｇｅｎｉｎ  ＣＳＡ−１３  ａｎｄ  ｉｔｓ  ｍｉｘｔｕｒｅ  ｗｉｔｈ  ｐｌｕｒｏｎｉｃ  Ｆ−１２７  ａｓ  ｔｒｅａｔｍｅｎｔ  ｏｆ  ｔｏｐｉｃａｌ  ｂａｃｔｅｒｉａｌ  ｉｎｆｅｃｔｉｏｎｓ"，  Ｊｏｕｒｎａｌ  ｏｆ  Ａｐｐｌｉｅｄ  Ｍｉｃｒｏｂｉｏｌｏｇｙ，  ｖｏｌ．  １１０，  ｎｏ．  １，  ２１  Ｏｃｔｏｂｅｒ  ２０１０，  ｐａｇｅｓ  ２２９−２３８．
（非特許文献９）  ＩＳＯＧＡＩ  Ｅ  ＥＴ  ＡＬ："Ｃｅｒａｇｅｎｉｎ  ＣＳＡ−１３  ｅｘｈｉｂｉｔｓ  ａｎｔｉｍｉｃｒｏｂｉａｌ  ａｃｔｉｖｉｔｙ  ａｇａｉｎｓｔ  ｃａｒｉｏｇｅｎｉｃ  ａｎｄ  ｐｅｒｉｏｄｏｎｔｏｐａｔｈｉｃ  ｂａｃｔｅｒｉａ"，  ＯＲＡＬ  ＭＩＣＲＯＢＩＯＬＯＧＹ  ＡＮＤ  ＩＭＭＵＮＯＬＯＧＹ，  ｖｏｌ．  ２４，  ｎｏ．  ２，  Ａｐｒｉｌ  ２００９  （２００９−０４），  ｐａｇｅｓ  １７０−１７２
（非特許文献１０）  ＶＡＮ  ＢＡＭＢＥＫＥ  ＥＴ  ＡＬ："Ｔｈｅ  ｂａｃｔｅｒｉａｌ  ｅｎｖｅｌｏｐｅ  ａｓ  ａ  ｔａｒｇｅｔ  ｆｏｒ  ｎｏｖｅｌ  ａｎｔｉ−ＭＲＳＡ  ａｎｔｉｂｉｏｔｉｃｓ"，  ＴＲＥＮＤＳ  ＩＮ  ＰＨＡＲＭＡＣＯＬＯＧＩＣＡＬ  ＳＣＩＥＮＣＥＳ，  ＥＬＳＥＶＩＥＲ，  ＨＡＹＷＡＲＴＨ，  ＧＢ，  ｖｏｌ．  ２９，  ｎｏ．  ３，  １１  Ｆｅｂｒｕａｒｙ  ２００８  （２００８−０２−１１），  ｐａｇｅｓ  １２４−１３４
（非特許文献１１）  ＱＵＮＹＩＮＧ  ＧＵＡＮ  ＥＴ  ＡＬ：  "Ｐｒｅｐａｒａｔｉｏｎ  ａｎｄ  Ｃｈａｒａｃｔｅｒｉｚａｔｉｏｎ  ｏｆ  Ｃｈｏｌｉｃ  Ａｃｉｄ−Ｄｅｒｉｖｅｄ  Ａｎｔｉｍｉｃｒｏｂｉａｌ  Ａｇｅｎｔｓ  ｗｉｔｈ  Ｃｏｎｔｒｏｌｌｅｄ  Ｓｔａｂｉｌｉｔｉｅｓ"，  ＯＲＧＡＮＩＣ  ＬＥＴＴＥＲＳ，  ＡＭＥＲＩＣＡＮ  ＣＨＥＭＩＣＡＬ  ＳＯＣＩＥＴＹ，  ＵＳ，  ｖｏｌ．  ２，  ｎｏ．  １８，  ７  Ｓｅｐｔｅｍｂｅｒ  ２０００  （２０００−０９−０７），  ｐａｇｅｓ  ２８３７−２８４０
（非特許文献１２）  ＡＬＨＡＮＯＵＴ  Ｋ  ＥＴ  ＡＬ：  "Ｓｑｕａｌａｍｉｎｅ  ａｓ  ａｎ  ｅｘａｍｐｌｅ  ｏｆ  ａ  ｎｅｗ  ｐｏｔｅｎｔ  ａｎｔｉｍｉｃｒｏｂｉａｌ  ａｇｅｎｔｓ  ｃｌａｓｓ：  ａ  ｃｒｉｔｉｃａｌ  ｒｅｖｉｅｗ．"，  ＣＵＲＲＥＮＴ  ＭＥＤＩＣＩＮＡＬ  ＣＨＥＭＩＳＴＲＹ  ２０１０，  ｖｏｌ．  １７，  ｎｏ．  ３２，  ２０１０，  ｐａｇｅｓ  ３９０９−３９１７
（非特許文献１３）  ＢＵＣＫＩ  ｅｔ  ａｌ．，  "Ｓａｌｉｖａｒｙ  ｍｕｃｉｎｓ  ｉｎｈｉｂｉｔ  ａｎｔｉｂａｃｔｅｒｉａｌ  ａｃｔｉｖｉｔｙ  ｏｆ  ｔｈｅ  ｃａｔｈｅｌｉｃｉｄｉｎ−ｄｅｒｉｖｅｄ  ＬＬ−３７  ｐｅｐｔｉｄｅ  ｂｕｔ  ｎｏｔ  ｔｈｅ  ｃａｔｉｏｎｉｃ  ｓｔｅｒｏｉｄ  ＣＳＡ−１３"，  Ｊｏｕｒｎａｌ  ｏｆ  Ａｎｔｉｍｉｃｒｏｂｉａｌ  Ｃｈｅｍｏｔｈｅｒａｐｙ  （２００８）  ６２：  ３２９−３３５，  ７  ｐａｇｅｓ